(57)【要約】【課題】笛吹きケトルにおいて、ハンドルを横倒しできるようにする【解決手段】ハンドル15に操作部23を設け、この操作部23と吹鳴装置10との間に該吹鳴装置10の起伏駆動用のリンク機構24を介在する。リンク機構24は上下方向に複数に分割されると共に、これら分割された第1の分割リンク部材25と第２の分割リンク部材26は第２の軸芯27を前後方向に設けた第２の回動用軸28を介して回動自在に接続される。ハンドル16側の第1の軸芯21，21Ａと第２の軸芯27とを一直線状に配置されるように第1の回動用軸22，22Ａと第２の回動用軸28を設ける。第1の軸芯21，21Ａと第２の軸芯27とが一直線状の回動中心となって第1の回動用軸22，22Ａを介して第1の軸芯21，21Ａハンドル15を横倒しするとリンク機構24も第２の回動用軸28を介して横倒しすることができ、蓋５上に邪魔なものをなくすことができる。【選択図】図１
0003130192.tif 000002
【実用新案登録請求の範囲】
【請求項１】
ケトル本体の胴部に取付金具を設け、握り部を設けたハンドルを前記取付金具に第１の軸芯を前後方向に設けた第１の回動用軸を介して回動自在に接続し、前記胴部の前記取付金具の前側に注ぎ口を上方に突設すると共に、該注ぎ口の上部開口に吹鳴装置を起伏自在に設けた笛吹きケトルであって、前記ハンドルに操作部を設け、この操作部と前記吹鳴装置との間に該吹鳴装置の起伏駆動用のリンク機構を介在し、該リンク機構は上下方向に複数に分割されると共に、これら分割された分割リンク部材は第２の軸芯を前後方向に設けた第２の回動用軸を介して回動自在に接続され、かつ前記第１の軸芯と前記第２の軸芯とを一直線状に配置されるように前記第１の回動用軸と前記第２の回動用軸を設けたことを特徴とする笛吹きケトル。
【請求項２】
前記取付金具として前記ケトル本体の胴部の前部と後部にそれぞれ前部取付金具、後部取付金具を設け、前記握り部を中央に設けた前記ハンドルの前部支持部を前記前部取付金具に、前記ハンドルの後部支持部を前記後部取付金具にそれぞれ前記第１の軸芯を前後方向に設けた前後一対の前記第１の回動用軸を介して回動自在に接続したことを特徴とする請求項１記載の笛吹きケトル。
【請求項３】
前記分割リンク部材は、第１の分割リンク部材と、該第１の分割リンク部材の下方に配置される第２の分割リンク部材とを備え、前記第１の分割リンク部材の下端と前記第２の分割リンク部材の上端とを前記第２の回動用軸により回動自在に接続したことを特徴とする請求項２記載の笛吹きケトル。
【請求項４】
前記第１の分割リンク部材は、前記操作部を一体に設けると共に第３の軸芯を左右方向に設けた第３の回動用軸を介して前記ハンドルに回動自在に接続し、前記前部取付金具と前記注ぎ口との間に設けられ第４の軸芯を左右方向に設けた第４の回動用軸を介して前記吹鳴装置と一体に設けたアームを起伏自在に設け、前記アームと前記第２の分割リンク部材とを第５の軸芯を左右方向に設けた第５の回動用軸を介して回動自在に接続したことを特徴とする請求項３記載の笛吹きケトル。
【請求項５】
前記前部取付金具と前記後部取付金具との間の前記ケトル本体の上面に上面開口を設けると共に、この上面開口に蓋を着脱自在に設けたことを特徴とする請求項１〜４のいずれか１項に記載の笛吹きケトル。
【請求項６】
前記操作部は、前部が前記第１の分割リンク部材に接続された引き金状であって、該操作部は、前記握り部と前記ケトル本体の間に設けられていることを特徴とする請求項３又は４記載の笛吹きケトル。
【請求項７】
前記回動用軸は、両端を径大部として接続していることを特徴とする請求項１〜６のいずれか１項に記載の笛吹きケトル。
【考案の詳細な説明】
【技術分野】
【０００１】
本考案は、注ぎ口に笛吹き装置を装着した笛吹きケトルに関するものである。
【背景技術】
【０００２】
従来のケトルは、上部開口部に蓋を着脱自在に設けたケトル本体の胴部の前側にハンドルの前端を回動自在に接続すると共に、胴部の後部にハンドルの後端を回動自在に接続し、ハンドルを横倒しできるようになっている（例えば、特許文献１）。
【０００３】
このようなケトルにおいて、ケトル本体の胴部の前側にハンドルの前端を接続すると共に、胴部の後部にハンドルの後端を接続し、さらにハンドルの前端より前側の胴部の部位に、注ぎ口を斜め前方へ向けて突設すると共にこの注ぎ口に吹鳴装置である吹鳴蓋を設けたものが知られている（例えば、特許文献２）。さらに、この従来技術においては吹鳴装置の後部にはストッパを兼ねたレバー状の指掛部を突設している。吹鳴装置は湯沸し時の蒸気発生に伴う蒸気の排出によって吹き鳴らされるものであり、「ピーピー」のような単調な音の他に、ビードを蒸気によって振動させて「ハーモニカ音」を発生させるものもある。
【０００４】
そして、このような笛吹きケトルにおいては、湯沸し時においては吹鳴装置により注ぎ口を閉じておき、そして沸騰時には注ぎ口を通る蒸気により吹鳴装置を作動させて報知せしめる。沸騰後には指掛部に指を掛け吹鳴装置を後方へ回動して注ぎ口を開いて、この注ぎ口から湯を注ぎ出すものである。
【特許文献１】実開昭６１−１３４７３９号公報
【特許文献２】実開平２−１３０５２２号公報
【考案の開示】
【考案が解決しようとする課題】
【０００５】
従来技術においては、吹鳴装置を回動して注ぎ口を開くときには、一方の手でハンドルを握り、他方の手で指掛部を指掛けして、この指掛部を引くことにより吹鳴装置を後方へ回動する。
【０００６】
このように、従来技術においては吹鳴装置の操作に当っては両手を使うものであった。しかしながら、湯を他の容器に移しかえるときには、一方の手で容器を支え、他方の手でハンドルを握ると共に、同時に指掛部に指掛けする必要がある。しかしながら、このような片手によってハンドルを握ること、指掛部、ひいては、吹鳴装置を操作することを従来技術では同時に行うことができにくいという問題があった。
【０００７】
このような問題点を解決する手段として、注ぎ口を開閉する吹鳴装置にリンク機構を介して指掛部をハンドルに回動自在に接続することが考えられる。
【０００８】
しかしながら、このように吹鳴装置の指掛部をハンドルに一体的に設けた場合には、リンク機構が邪魔になってハンドルを横倒しすることはできず、この結果、蓋を外した状態の上部開口から水を注入しにくくなるという問題点があった。
【０００９】
解決しようとする問題点は、注ぎ口を開閉するように吹鳴装置を回動自在に設けると共に、胴部の上部にハンドルを横倒し可能に設ける笛吹きケトルにおいて、吹鳴装置の起伏駆動用操作部をハンドルに設けて、ハンドルを握った片手で吹鳴装置を回動操作できるようにし、しかもハンドルを横倒しできるようにすることである。
【課題を解決するための手段】
【００１０】
請求項１の考案は、ケトル本体の胴部に取付金具を設け、握り部を設けたハンドルを前記取付金具に第１の軸芯を前後方向に設けた第１の回動用軸を介して回動自在に接続し、前記胴部の前記取付金具の前側に注ぎ口を上方に突設すると共に、該注ぎ口の上部開口に吹鳴装置を起伏自在に設けた笛吹きケトルであって、前記ハンドルに操作部を設け、この操作部と前記吹鳴装置との間に該吹鳴装置の起伏駆動用のリンク機構を介在し、該リンク機構は上下方向に複数に分割されると共に、これら分割された分割リンク部材は第２の軸芯を前後方向に設けた第２の回動用軸を介して回動自在に接続され、かつ前記第１の軸芯と前記第２の軸芯とを一直線状に配置されるように前記第１の回動用軸と前記第２の回動用軸を設けたことを特徴とする笛吹きケトルである。
【００１１】
請求項２の考案は、前記取付金具として前記ケトル本体の胴部の前部と後部にそれぞれ前部取付金具、後部取付金具を設け、前記握り部を中央に設けた前記ハンドルの前部支持部を前記前部取付金具に、前記ハンドルの後部支持部を前記後部取付金具にそれぞれ前記第１の軸芯を前後方向に設けた前後一対の前記第１の回動用軸を介して回動自在に接続したことを特徴とする請求項１記載の笛吹きケトルである。
【００１２】
請求項３の考案は、前記分割リンク部材は、第１の分割リンク部材と、該第１の分割リンク部材の下方に配置される第２の分割リンク部材とを備え、前記第１の分割リンク部材の下端と前記第２の分割リンク部材の上端とを前記第２の回動用軸により回動自在に接続したことを特徴とする請求項２記載の笛吹きケトルである。
【００１３】
請求項４の考案は、前記第１の分割リンク部材は、前記操作部を一体に設けると共に第３の軸芯を左右方向に設けた第３の回動用軸を介して前記ハンドルに回動自在に接続し、前記前部取付金具と前記注ぎ口との間に設けられ第４の軸芯を左右方向に設けた第４の回動用軸を介して前記吹鳴装置と一体に設けたアームを起伏自在に設け、前記アームと前記第２の分割リンク部材とを第５の軸芯を左右方向に設けた第５の回動用軸を介して回動自在に接続したことを特徴とする請求項３記載の笛吹きケトルである。
【００１４】
請求項５の考案は、前記前部取付金具と前記後部取付金具との間の前記ケトル本体の上面に上面開口を設けると共に、この上面開口に蓋を着脱自在に設けたことを特徴とする請求項１〜４のいずれか１項に記載の笛吹きケトルである。
【００１５】
請求項６の考案では、前記操作部は、前部が前記第１の分割リンク部材に接続された引き金状であって、該操作部は、前記握り部と前記ケトル本体の間に設けられていることを特徴とする請求項３又は４記載の笛吹きケトルである。
【００１６】
請求項７の考案では、前記回動用軸は、両端を径大部として接続していることを特徴とする請求項１〜６のいずれか１項に記載の笛吹きケトルである。
【考案の効果】
【００１７】
請求項１の考案によれば、第1の回動用軸を介してハンドルを横倒しするとリンク機構も第２の回動用軸を介して横倒しすることができる。
【００１８】
請求項２の考案によれば、ハンドルの前部取付金具、後部取付金具をケトル本体に接続することにより、ハンドルによってケトル本体を確実に保持できる。
【００１９】
請求項３の考案によれば、上方に配置された操作部から下方に配置された吹鳴装置までを確実に連続させて連動することができる。
【００２０】
請求項４の考案によれば、操作部の操作力をリンク機構、アームを介して吹鳴装置を起伏駆動することができる。
【００２１】
請求項５の考案によれば、ハンドルを横倒しした状態で蓋を取り上げて上面開口からケトル本体内に水を簡単に収容することができる。
【００２２】
請求項６の考案によれば、操作部を引き作動することでリンク機構を確実に操作できる。
【００２３】
請求項７の考案によれば、回動用軸を抜け止めできるように確実に設けることができる。
【考案を実施するための最良の形態】
【００２４】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２５】
図は実施例１を示しており、ケトル本体１は底部２と胴部３を備えると共に、上面４に形成した上面開口５を着脱自在に閉塞する蓋６が設けられており、この蓋６の上面には摘み７が設けられている。さらに胴部３の前側には円筒状の注ぎ口８が斜め前方に向けて突設している。そして、この注ぎ口８の上部開口９には該上部開口９を開閉可能な吹鳴装置10が起伏可能に設けられている。この吹鳴装置10は上部開口９を覆う底板部11と該底板部11の上方の中空部10Ａを覆う天板部12が設けられており、これら底板部11と天板部12には蒸気孔13,14が形成され、沸騰時において蒸気が通過することで「ピーピー」などの吹き鳴らし音が発生するようになっている。さらに、ケトル本体１の上部に左右に可倒なハンドル15が設けられている。このハンドル15は中央部に握り部16を設けると共に、その前後に前部支持部17と後部支持部18がそれぞれ下向きに設けられている。そして、胴部３における蓋６の前後に、前部支持部17と後部支持部18の下端をそれぞれ回動自在に接続するための前部取付金具19と後部取付金具20とが設けられている。そして、前部支持部17の下部と前部取付金具19、後部支持部18の下部と後部取付金具20とはそれぞれ第1の軸芯21，21Ａを前後方向に設けた第1の回動用軸22，22Ａを介して回動自在に接続している。この前後一対の第1の軸芯21，21Ａは常時一直線状になるように前後一対の第1の回動用軸22，22Ａは配置されている。尚、第1の回動用軸22，22Ａ及び後述する他の回動用軸は、鋲のように両端22Ｂの直径Ｄを抜け止めのために軸径ｄより径大（ｄ＞Ｄ）となるように鋲状に形成されている。
【００２６】
さらに、ハンドル15を握った手で吹鳴装置10を起伏駆動するため、吹鳴装置10とハンドル15に設けられた操作部23とを接続するリンク機構24が設けられる。このリンク機構24は運動又は力を伝達する機構であって、このリンク機構24は注ぎ口８の上方でかつ前部支持部17の前方に配置されており、上下に２分割され上方に位置する第1の分割リンク部材25と、この第1の分割リンク部材25の下方に配置される第２の分割リンク部材26と、後述するアーム33を備える。第1の分割リンク部材25は上部に操作部23の前部23Ａを接続して設けており、第２の分割リンク部材26は下部をアーム33を介して吹鳴装置10側に接続している。そして、第1の分割リンク部材25の下端と第２の分割リンク部材26の上端とは第２の軸芯27を前後方向に設けた第２の回動用軸28を介して回動自在に接続されると共に、ハンドル10の真上に向いた直立時に第２の軸芯27が前後一対の第1の軸芯21，21Ａと一直線状となるように第２の回動用軸28と前後一対の第1の回動用軸22，22Ａとが配置されている。
【００２７】
第1の分割リンク部材25はその上部を前部取付金具19に回動自在に接続している。この接続は前部取付金具19の左右を隙間をおいて挟むようにして第1の分割リンク部材25の上部には第1のアーム29を後方へ突設し、前部取付金具19の上部に後方へ向けてブラケット等と称する第1の取付用座30を設け、そして第1のアーム29の後部を第３の軸芯31を左右方向に設けた第３の回動用軸32を介して第1の取付用座30に回動自在に接続する。そして操作部23は、第1のアーム29の後部に前部を接続して後方に向けて突設している。この操作部23は握り部16とケトル本体１の間に設けられ、内側を下向きにした円弧状をなした引き金形状である。
【００２８】
さらに、吹鳴装置10には後方へ向けてリンク機構24を構成する第2のアーム33が一体となって突設している。この第2のアーム33は斜め上向き方向の後ろ向き部34と下向き部35と備えた逆Ｌ字形状である。一方前部取付金具19と前記注ぎ口８との間、実施例では注ぎ口８の後部板部にブラケット等と称する第2の取付用座36が設けられており、この第2の取付用座36に下向き部35が回動自在に接続されている。この接続は第４の軸芯37を左右方向に設けた第４の回動用軸38を介して設けられている。また、第２の分割リンク部材26の下端を後ろ向き部34に回動自在に接続している。この接続は第５の軸芯39を左右方向に設けた第５の回動用軸40を介して回動自在に接続している。
【００２９】
次に前記構成についてその作用を説明する。湯を沸かすときには、図１、２に示すように、ハンドル15が真上に向いていると共に吹鳴装置10が上部開口９を閉じるように保持されている。この保持状態は図１において第３の回動用軸32（第３の軸芯31）を中心として時計回り方向のトルクよりも、反時計回り方向のトルクが大きいことによる。このトルクの差は第３の回動用軸32（第３の軸芯31）を中心とするリンク機構24側の長さと重量と、操作部23側の長さと重量等との相違に起因する。尚、第３の回動用軸32（第３の軸芯31）を中心として時計回り方向のトルクよりも、反時計回り方向のトルクを大きくするためには、バネなどを利用してもよい。また、第２の軸芯27が前後一対の第1の軸芯21，21Ａと一直線状となるように前後一対の第1の回動用軸22，22Ａと第２の回動用軸28とが配置されている。
【００３０】
そして、図４、５に示すように握り部16を握ってハンドル15を左右いずれかの方向に倒すことにより、ケトル本体１の上面４上方を大きく開くことができる。このとき、ハンドル15の前部支持部17の下部、後部支持部18の下部とはそれぞれ前後一対の第1の回動用軸22，22Ａの第1の軸芯21，21Ａを中心として回動する。さらにハンドル15が横倒しにすると、該ハンドル15と第３の回動用軸32を介して一体的に設けられた第1の分割リンク部材25には横倒しの力が伝達される。そして、第1の分割リンク部材25の下端は、前後方向に設けた第２の軸芯27を中心として第２の回動用軸28を介して回動することとなる。但し、底板部11が上部開口９を塞いで係止状態にあるため、第2のアーム33、さらには第２の分割リンク部材26は縦向きとなって静止状態になっている。
【００３１】
このようにしてハンドル15を横倒した状態で、摘み７を摘んで蓋６を取り去って、上面開口５より水をケトル本体１内に収容する。そして再び、蓋６を上面開口５に取り付ける。
【００３２】
そして、ハンドル15を前後一対の第1の回動用軸22，22Ａを介して、さらには第1の分割リンク部材25を第２の回動用軸28を介していずれも上向きとし、ケトル本体１をコンロに載せる。火にかけたケトル本体１内の水が沸騰すると、蒸気が注ぎ口８を介して吹鳴装置10に流入する。この蒸気は、底板部11の蒸気孔13から中空部10Ａに流入して、さらに中空部10Ａから天板部12の蒸気孔14を介して外部に排気されるものであり、このような蒸気の通過により「ピーピー」などの沸騰を報知する吹き鳴らし音が発生する。
【００３３】
湯が沸いて注ぎ口８から注ぎ出すときには、図３に示すようにハンドル15の握り部16を握って注ぎ口８が下向きとなるようにケトル本体１を傾斜させ、そしてハンドル15を握った手の指で操作部23を引き上げて第３の回動用軸32を中心として反時計方向回りに回動すると、第1の分割リンク部材25は第３の回動用軸32を中心として反時計方向回りに回動して、第５の回動用軸40を押し下げることにより第2のアーム33は第５の回動用軸40を中心として時計方向回りに回動する。この結果、吹鳴装置10が上部開口９を開くように保持されて、上部開口９より湯を注ぎ出すことが可能となる。尚、湯の注ぎ後においては操作部23から指を離すと、図１、２のように前述のトルク差によって吹鳴装置10が上部開口９を閉じるように保持されると同時に、第２の軸芯27が前後一対の第1の軸芯21，21Ａと一直線状となるように前後一対の第1の回動用軸22，22Ａと第２の回動用軸28とが配置されることとなる。
【００３４】
以上のように、前記実施例では請求項１に対応してケトル本体１の胴部３に前部取付金具19と後部取付金具20を設け、握り部16を設けたハンドル15を前部取付金具19と後部取付金具20に第1の軸芯21，21Ａを前後方向に設けた第1の回動用軸22，22Ａを介して回動自在に接続し、胴部３の前部取付金具19の前側に注ぎ口８を上方に突設すると共に、該注ぎ口８の上部開口９に吹鳴装置10を起伏自在に設けた笛吹きケトルであって、ハンドル15に操作部23を設け、この操作部23と吹鳴装置10との間に該吹鳴装置10の起伏駆動用のリンク機構24を介在し、該リンク機構24は上下方向に複数に分割されると共に、これら分割された第1の分割リンク部材25と第２の分割リンク部材26は第２の軸芯27を前後方向に設けた第２の回動用軸28を介して回動自在に接続され、かつ第1の軸芯21，21Ａと第２の軸芯27とを一直線状に配置されるように第1の回動用軸22，22Ａと第２の回動用軸28を設けたことにより、第1の軸芯21，21Ａと第２の軸芯27とが一直線状の回動中心となって第1の回動用軸22，22Ａを介してハンドル15を横倒しするとリンク機構24も第２の回動用軸28を介して横倒しすることができ、胴部３の上面４上に邪魔なものをなくすことができる。
【００３５】
前記実施例では請求項２に対応して、ケトル本体１の胴部３の前部と後部にそれぞれ前部取付金具19、後部取付金具20を設け、握り部16を中央に設けたハンドル15の前部支持部17を前部取付金具19に、さらにハンドル15の後部支持部18を後部取付金具20にそれぞれ第1の軸芯21，21Ａを前後方向に設けた前後一対の第1の回動用軸22，22Ａを介して回動自在に接続したことにより、ハンドル15の前後をケトル本体１に接続することにより、ハンドル15によってケトル本体１を確実に保持できると共に、このハンドル15と一体に上部開口９に吹鳴装置10を載せたままで第1の分割リンク部材25をも横倒しすることができる。
【００３６】
前記実施例では請求項３に対応して、リンク部材は、第１の分割リンク部材25と、該第１の分割リンク部材25の下方に配置される第２の分割リンク部材26とを備え、第1の分割リンク部材25の下端と第２の分割リンク部材26の上端とを第２の回動用軸28により回動自在に接続したことで、上方に配置された操作部23側から下方に配置された吹鳴装置10側までを確実に連続させることができる。
【００３７】
前記実施例では請求項４に対応して、第１の前記分割リンク部材25は、操作部23を一体に設けると共に第３の軸芯31を左右方向に設けた第３の回動用軸32を介してハンドル15に回動自在に接続し、前部取付金具19と注ぎ口８との間に設けられ第４の軸芯37を左右方向に設けた第４の回動用軸38を介して吹鳴装置10と一体に設けた第2のアーム33を起伏自在に設け、第2のアーム33と第２の分割リンク部材26とを第５の軸芯27を左右方向に設けた第５の回動用軸28を介して回動自在に接続したことにより、操作部23の操作力をリンク機構24、第2のアーム33を介して吹鳴装置10を起伏駆動することができる。
【００３８】
前記実施例では請求項５に対応して、前部取付金具19と後部取付金具20との間のケトル本体１の上面４に上面開口５を設けると共に、この上面開口５に蓋６を着脱自在に設けたことにより、ハンドル15を横倒しした状態で蓋６を簡単に取り上げて上面開口５からケトル本体１内に水を簡単に収容することができ、またハンドル15に邪魔されないで蓋６を閉じることができる。
【００３９】
前記実施例では請求項６に対応して、操作部23は、前部が前記第1の分割リンク部材25に接続された引き金状であって、操作部23を引き作動することでリンク機構24を操作でき、また操作部23は、握り部16とケトル本体１の間に設けられていることで、ハンドル15を握った指で操作部23を操作することができる。
【００４０】
しかも、前記実施例では請求項７に対応して、両端22Ｂを径大に形成して回動用軸22などを抜け止めできるように確実に設けることができる。
【産業上の利用可能性】
【００４１】
以上のように本考案にかかる笛吹きケトルは、各種の用途に適用できる。さらに、例えばリンク機構は操作部と吹鳴装置とを接続して該吹鳴装置を起伏駆動するものであればよく、またリンク機構の分割は前記実施例の分割に限定されるものではない。さらに、実施例における第２の分割リンク部材を吹鳴装置、ひいては第2のアームに固定状態に接続し、第２の分割リンク部材と第１の分割リンク部材との間に、他の分割リンク部材を回動自在に介在したようなものでもよい。
【図面の簡単な説明】
【００４２】
【図１】本考案の一実施例を示す吹鳴装置が閉じた状態の一部切り欠き正面図である。
【図２】本考案の一実施例を示す吹鳴装置が閉じた状態の側面図である。
【図３】本考案の一実施例を示す吹鳴装置が開いた状態の一部切り欠き正面図である。
【図４】本考案の一実施例を示すハンドルを横倒しした状態の側面図である。
【図５】本考案の一実施例を示すハンドルを横倒しした状態の斜視図である。
【符号の説明】
【００４３】
１  ケトル本体
３  胴部
５  上面開口
６  蓋
８  注ぎ口
９  上部開口
10  吹鳴装置
15  ハンドル
16  握り部
17  前部支持部
18  後部支持部
19  前部取付金具
20  後部取付金具
21，21Ａ  第1の軸芯
22，22Ａ  第1の回動用軸
22Ｂ  両端
23  操作部
24  リンク機構
25  第１の分割リンク部材
26  第２の分割リンク部材
27  第２の軸芯
31  第３の軸芯
32  第３の回動用軸
33  アーム
37  第４の軸芯
38  第４の回動用軸
27  第５の軸芯
28  第５の回動用軸
【図１】
0003130192.tif 000003
【図２】
0003130192.tif 000004
【図３】
0003130192.tif 000005
【図４】
0003130192.tif 000006
【図５】
0003130192.tif 000007